(57)【要約】【課題】磁石を備えた磁気処理カートリッジがシャワーヘッド本体から取り外し可能で、しかも従来と同様の使用操作性が得られるシャワーヘッドを提供する。【解決手段】筒状の把持部１と、複数の散水孔を有するヘッド部２と、把持部１内に収納されて取り外し可能な磁気処理カートリッジＣとを備え、磁気処理カートリッジＣは、通水路と、通水路の周囲に配置された複数個の磁石Ｍとを有することを特徴とする。そして磁気処理カートリッジＣは、筒状のハウジング３と、ハウジング３の両端開口を封鎖する蓋部４，５と、磁石Ｍを保持しハウジング３内に取り外し可能に収納される第１磁石ホルダー６とを有する【選択図】図２
2019033947.tif 000002
【特許請求の範囲】
【請求項１】
筒状の把持部と、複数の散水孔を有するヘッド部と、前記把持部内に収納されて取り外し可能な磁気処理カートリッジとを備え、
前記磁気処理カートリッジは、通水路と、前記通水路の周囲に配置された複数個の磁石とを有することを特徴とするシャワーヘッド。
【請求項２】
前記磁気処理カートリッジは、筒状のハウジングと、前記ハウジングの両端開口を封鎖する蓋部と、磁石を保持し前記ハウジング内に取り外し可能に収納される第１磁石ホルダーとを有する請求項１記載のシャワーヘッド。
【請求項３】
前記第１磁石ホルダーは、前記ハウジング内に軸方向に複数段重ねて収納される請求項２記載のシャワーヘッド。
【請求項４】
前記磁気処理カートリッジは、複数個の磁石を保持する柱状の第２磁石ホルダーと、第２磁石ホルダーの両端に装着される蓋部とを有する請求項１記載のシャワーヘッド。
【請求項５】
前記第２磁石ホルダーは、軸方向に貫通した通水路と、前記通水路を挟んで対向する位置に軸方向が深さ方向の有底の保持穴とを有し、
前記保持穴に磁石が保持される請求項４記載のシャワーヘッド。
【請求項６】
前記ヘッド部が複数のブリッスルを有するブラシ部材を備え、前記複数のブリッスルの一部又は全部には先端から基部に至る貫通した散水孔が形成されている請求項１〜５のいずれかに記載のシャワーヘッド。
【発明の詳細な説明】
【技術分野】
【０００１】
本発明はシャワーヘッドに関し、より詳細には磁力によって活性化させた水を噴射するシャワーヘッドに関するものである。
【背景技術】
【０００２】
磁界中を通過させて磁化処理した水（以下、「磁気活性水」と記すことがある。）は、水分子の集団（クラスター）が細分化し、人体の細胞を活性化させて新陳代謝を促すと共に、洗浄力の向上や植物の成長促進、滅菌作用などの効能があると言われている。そこで、この磁気活性水を生成すべく種々の技術がこれまでから提案され、またその一部は製品化されている。
【０００３】
例えば特許文献１では、シャワーヘッドのグリップに取り付けた磁石片により磁界を発生させ、この磁界中に湯水を通過させることによって湯水を磁気活性水とすると共に、グリップを持つ手の血行を促進させる技術が提案されている。また特許文献２では、シャワーヘッドに着脱可能に装着されたろ過カートリッジの内側壁に一対の磁石片を対峙させるように設けて、磁気活性水を生成する技術が提案されている。
【先行技術文献】
【特許文献】
【０００４】
【特許文献１】特開平１１−９０２７６号公報
【特許文献２】実用新案登録第３０１９１２６号
【発明の概要】
【発明が解決しようとする課題】
【０００５】
特許文献１の提案技術ではグリップ内の磁石片を取り外すことは想定されておらず、使用によって磁石片に付着した物の除去は容易ではないと考えられる。また、特許文献２の提案技術では、ろ過カートリッジと共に磁石片はシャワーヘッドから取り外し可能であるが、ろ過カートリッジはヘッド部に取り付けられるためヘッド部が重くなり、シャワーヘッドの重心位置がヘッド部方向に極端に位置してシャワーヘッド使用時の操作性が低下するおそれがある。
【０００６】
本発明はこのような従来の問題に鑑みてなされたものであり、その目的は、磁石を備えた磁気処理カートリッジがシャワーヘッド本体から取り外し可能で、しかも従来と同様の使用操作性が得られるシャワーヘッドを提供することにある。
【課題を解決するための手段】
【０００７】
前記目的を達成する本発明に係るシャワーヘッドは、筒状の把持部と、複数の散水孔を有するヘッド部と、前記把持部内に収納されて取り外し可能な磁気処理カートリッジとを備え、前記磁気処理カートリッジは、通水路と、前記通水路の周囲に配置された複数個の磁石とを有することを特徴とする。
【０００８】
前記構成のシャワーヘッドにおいて、前記磁気処理カートリッジは、筒状のハウジングと、ハウジングの両端開口を封鎖する蓋部と、磁石を保持しハウジング内に取り外し可能に収納される第１磁石ホルダーとを有する構成としてもよい。
【０００９】
また、前記第１磁石ホルダーは、前記ハウジング内に軸方向に複数段重ねて収納されることが好ましい。
【００１０】
また前記構成のシャワーヘッドにおいて、前記磁気処理カートリッジは、複数個の磁石を保持する柱状の第２磁石ホルダーと、第２磁石ホルダーの両端に装着される蓋部とを有する構成としてもよい。
【００１１】
また、前記第２磁石ホルダーは、軸方向に貫通した通水路と、前記通水路を挟んで対向する位置に軸方向が深さ方向の有底の保持穴とを有し、前記保持穴に磁石が保持される構成としてもよい。
【００１２】
また、前記構成のシャワーヘッドにおいて、前記ヘッド部が複数のブリッスルを有するブラシ部材を備え、前記複数のブリッスルの一部又は全部には先端から基部に至る貫通した散水孔が形成されている構成としてもよい。
【発明の効果】
【００１３】
本発明のシャワーヘッドでは、磁気処理カートリッジがシャワーヘッド本体から取り外し可能であるため清掃や保守点検が容易となる。また、磁気処理カートリッジは把持部に収納されるため、重心位置がヘッド部方向に極端に位置することがなく使用時の操作性の低下が防止される。
【図面の簡単な説明】
【００１４】
【図１】第１実施形態に係るシャワーヘッドの一例を示す斜視図である。
【図２】図１のシャワーヘッドの分解斜視図である。
【図３】磁気処理カートリッジの分解斜視図である。
【図４】蓋部の断面図等である。
【図５】蓋部の断面図等である。
【図６】第１磁石ホルダーの断面図等である。
【図７】第２実施形態に係るシャワーヘッドの部分分解斜視図である。
【図８】ブラシ部材の分解斜視図である。
【図９】第３実施形態に係るシャワーヘッドの第２磁石ホルダーの斜視図である。
【発明を実施するための形態】
【００１５】
以下、本発明に係るシャワーヘッドを図に基づいてさらに詳しく説明するが本発明はこれらの実施形態に何ら限定されるものではない。
【００１６】
（第１実施形態）
図１は、本発明に係るシャワーヘッドの一実施形態を示す斜視図であり、図２はシャワーヘッドの分解斜視図である。シャワーヘッドＳＨは、筒状の把持部１と、複数の散水孔２１１を有するヘッド部２と、把持部１に内部に収納されて取り外し可能な磁気処理カートリッジＣとを有する。なお、図１の上下方向を上下方向とし、図１の矢印で示す方向を正面方向とする。
【００１７】
把持部１は、第１接続部１１を上端に、給水口１２１が形成された給水部１２を下端に有し、第１接続部１１と給水部１２との間の部分は第１接続部１１及び給水部１２の内径よりも拡大した内径を有する。具体的には、把持部１は、上把持部材１ａと下把持部材１ｂとから構成され、上把持部材１ａの上端に第１接続部１１が形成され、下把持部材１ｂの下端に給水部１２が形成されている。そして、上把持部材の下端開口の外周面に形成された雌ネジ部１３と、下把持部材１ｂの上端開口の内周面に形成された雄ネジ部１４とを嵌め合わせることによって接合されている。下把持部材１ｂの下端に形成された給水部１２には不図示のシャワーホースが従来公知の接続手段によって接続される。また、上把持部材１ａの上端に形成された第１接続部１１にはヘッド部２が接続される。
【００１８】
ヘッド部２は、ヘッド本体２０と、散水板２１と、散水板２１をヘッド本体２０に取り付け固定するリング部２２とを有する。ヘッド本体２０は、上部は正面側に向かって円形に開口した開口部２３が形成され、下端に第２接続部２４が形成されている。ヘッド本体２０の開口部２３及び第２接続部２４の外周面にはそれぞれ雄ネジが形成されている。
【００１９】
散水板２１は、ヘッド本体２０の開口部２３と略同一の形状で複数の散水孔２１１が形成されている。リング部２２は、散水板２１の外径よりも大きい内径を有し、散水板２１の外径よりも小さい開口部を有する輪状部２２１と、輪状部２２１の外周縁から輪状部２２１に対して垂直に延出した周壁部２２２とを有している。リング部２２の周壁部２２２の内周面には雌ネジ（不図示）が形成されている。散水板２１のヘッド本体２０への取り付けは、リング部２２とヘッド本体２０の開口部２３との間に散水板２１を挟み込んだ状態で、リング部２２の周壁部２２２に形成された雌ネジ（不図示）とヘッド本体２０の開口部２３の外周面の雄ネジとを嵌め合わせることによって、散水板２１がヘッド本体２０の開口部２３を塞ぐように取り付けられる。
【００２０】
また、ヘッド本体２０の第２接続部２４に形成された雄ネジと、把持部１の第１接続部１１の内周面に形成された雌ネジとを嵌め合わせることによってヘッド部２と把持部１とが接続される。
【００２１】
磁気処理カートリッジＣは把持部１の内部空間に収容される。図３に、磁気処理カートリッジＣの分解斜視図を示す。磁気処理カートリッジＣは、筒状のハウジング３と、ハウジング３の両端開口を封鎖する蓋部４及び蓋部５と、磁石Ｍを保持しハウジング３内に取り外し可能に収納される第１磁石ホルダー６とを有する。
【００２２】
ハウジング３はステンレス製のパイプで構成される。ハウジング３の上下方向に対して垂直方向の断面形状は、把持部１の内部空間に収納可能であれば特に限定はない。シャワーヘッドＳＨに水を流した際に磁気処理カートリッジＣが把持部１内で動かないようにする観点からは、ハウジング３の断面形状は把持部１の内周面に接触固定してハウジング３の上下方向に対して垂直な面内において移動しないようにするのが好ましい。ただし、後述する蓋部４，５の外径がハウジング３の外径よりも大きく、蓋部４，５の外周面が把持部１の内周面に接触固定する形態の場合には、ハウジング３の前記断面形状はどのような形状であってもよい。また、ハウジング３の材質は水によって劣化及び変形しないものであればよく、例えば樹脂などであっても構わない。
【００２３】
図４及び図５に蓋部４及び蓋部５の図を示す。蓋部４と蓋部５とはほぼ同一形状であって、ハウジング３の内径と略同一の外径を有する円板部４１，５１と、円板部４１，５１の外周縁から円板部４１，５１に対して垂直に延出した周壁部４２，５２とを有する。円板部４１，５１の中心部には、周壁部４２，５２と反対方向に突出したボス部４３，５３が形成され、ボス部４３，５３の中心に蓋部４，５を上下方向に貫通する通水口４４，５４が形成されている。周壁部４２，５２の内径はハウジング３の外径よりもやや小さく設定されいる。これにより、蓋部４，５の周壁部４２，５２をハウジング３の両端開口の外側に嵌め入れることによって蓋部４，５はハウジング３の両端に取り外し可能に取り付けられる。蓋部４と蓋部５とで異なる構造は、蓋部４の円板部４１の内側面には通水口４４を囲むように４つの長方形状の凸部４５が形成されているのに対して、蓋部５の円板部５１の内側面には通水口５４を囲むように４つの長方形状の凹部５５が形成されている。これらの凸部４５及び凹部５５は、次に説明する第１磁石ホルダー６との接続固定において用いられる。
【００２４】
図６に、第１磁石ホルダー６の図を示す。第１磁石ホルダー６は略円柱形状を有し、その厚み（上下方向の長さ）はハウジング３の上下方向の長さのおおよそ整数分の１である。すなわち、第１磁石ホルダー６はハウジング３内に上下方向に複数段重ねて収納可能である。また、第１磁石ホルダー６の外周面には上下方向に伸びた複数個の突条６１が２条一組として周方向に等間隔で形成されている。これらの突条６１の先端部がハウジング３の内周面に接触しハウジング３内に第１磁石ホルダー６が位置決めされる。
【００２５】
第１磁石ホルダー６の中心部には通水孔６２が形成されている。通水孔６２は、蓋部４，５に形成された通水口４４，５４と同一形状である。第１磁石ホルダー６の下面には長方形状の４つの凸部６３が通水孔６２の周囲を囲むように形成され、第１磁石ホルダー６の上面には凸部６３が嵌入可能な長方形状の凹部６４が形成されている。２つの第１磁石ホルダーにおいて、一方の第１磁石ホルダーの凸部６３がもう一方の第１磁石ホルダーの凹部６４に嵌入することによって２つの第１磁石ホルダーは接続固定される。凹部６４は凸部６３の高さよりも深く形成されており、凸部６３が凹部６４に嵌入して形成される凹部６４の内部空間が磁石Ｍの収納空間となる。また、複数の第１磁石ホルダーが上下方向に接続固定されることによって、それぞれの第１磁石ホルダー６に形成されている通水孔６２が連続して接続し、本発明における通水路を形成する。
【００２６】
次に、磁気処理カートリッジＣの組み立てについて説明する。図３を参照して、まず、複数個の第１磁石ホルダー６の所望位置の凹部６４に磁石Ｍを挿入し、第１磁石ホルダー６を上下方向に複数段に接続する。そして、複数段に接続された第１磁石ホルダー６をハウジング３に挿入する。このとき、第１磁石ホルダー６に形成された複数の突条６１が円筒状のハウジング３の内周面に接触して、ハウジング３内において軸方向に対して垂直方向の第１磁石ホルダー６の移動が規制され、第１磁石ホルダー６はハウジング３内において軸方向への移動及び軸を中心とした回転だけが可能とされる。
【００２７】
次に、複数段に接続された第１磁石ホルダー６の最上の第１磁石ホルダー６の凹部６４に蓋部４の凸部４５が嵌まり合うように、そして複数段に接続された第１磁石ホルダー６の最下の第１磁石ホルダー６の凸部６３に蓋部５の凹部５５が嵌まり合うようにハウジング３の両端開口に蓋部４，５を取り付ける。これにより、第１磁石ホルダー６はハウジング３内において移動不能に固定される。また、複数段に接続された上下方向端部の第１磁石ホルダー６の通水孔６２は蓋部４の通水口４４及び蓋部５の通水口５４にそれぞれ接続し一体となって本発明における通水路を形成する。
【００２８】
組み立てられた磁気処理カートリッジＣの把持部１への装着について説明する。図２を参照して、把持部１は上把持部材１ａと下把持部材１ｂとから構成され、上把持部材１ａと下把持部材１ｂとは雌ネジ部１３と雄ネジ部１４の嵌め合わせによって分解可能に接合されている。磁気処理カートリッジＣを把持部１内に装着する場合、まず上把持部材１ａと下把持部材１ｂとを分離する。そして、磁気処理カートリッジＣの蓋部４のボス部４３を上把持部材１ａの第１接続部１１の内側開口部に接続し、蓋部５のボス部５３を下把持部材１ｂの給水部１２の内側開口部に接続し、上把持部材１ａと下把持部材１ｂとを嵌め合わせて接合する。磁気処理カートリッジＣを把持部１から取り出す場合は、上記手順と逆の手順で磁気処理カートリッジＣを取り出せばよい。すなわち、上把持部材１ａと下把持部材１ｂとを分離した後、磁気処理カートリッジを取り出せばよい。
【００２９】
このような構成のシャワーヘッドＳＨにおいて、給水口１２１から水が供給されると、磁気処理カートリッジＣ内の通水路を通過する間に複数の磁石Ｍによる磁界によって磁化処理されヘッド部２の散水孔２１１から外部に噴出する。
【００３０】
（第２実施形態）
図７に、第２実施形態に係るシャワーヘッドの部分分解斜視図を示す。本実施形態のシャワーヘッドが第１実施形態のシャワーヘッドと異なる点は、散水板２１に換えてブラシ部材Ｂを用いる点である。
【００３１】
図８に、ブラシ部材Ｂの分解斜視図を示す。ブラシ部材Ｂは、ブラシ部７と、ブラシ部７を保持する保持板８とを有する。ブラシ部７は、ヘッド本体２０の開口部２３と略同一の形状を有する基部７１と、基部７１から略垂直に延出した複数のブリッスル７２とを有する。複数のブリッスル７２の一部又は全部には先端から基部７１に至る貫通した散水孔７３が形成されている。また、基部７１にも複数の通水開口７４が形成されている。ブラシ部７の材質としてはシリコーンゴムやウレタンゴムなどのエラストマーが好ましい。
【００３２】
保持板８は、ブラシ部７の基部７１と略同一の形状を有する板状態であって、ブラシ部７のブリッスル７２の形成位置と対応する位置にブリッスル７２が挿通可能な係合孔８１が形成され、またブラシ部７の通水開口７４の形成位置と対応する位置に散水孔８２が形成されている。
【００３３】
ブラシ部材Ｂは、ブラシ部７のブリッスル７２が保持板８の係合孔８１に挿通させて、ブラシ部７の基部７１の表面と保持板８の裏面とが接触するように接続されてなる。ブリッスル７２は保持板８の係合孔８１を挿通して保持板８の表面から突出した状態となる。ブラシ部材Ｂのヘッド本体２の開口部２３への取り付けは、第１実施形態におけるリング部２２による散水板２１の取り付けと同様に、リング部２２とヘッド本体２０の開口部２３との間にブラシ部材Ｂの外縁部を挟み込んだ状態で、リング部２２の周壁部２２２に形成されえた雌ネジとヘッド本体２０の開口部２３の外周面の雄ネジとを嵌め合わせることによって、ブラシ部材Ｂがヘッド本体２０の開口部２３に取り付けられる。
【００３４】
このような構成のシャワーヘッドによれば、毛髪の根元部分に磁気活性水を確実に行き渡らせることが可能となる。また、ブリッスル７２の先端で皮膚を刺激することも可能となる。なお、ブリッスル７２の先端部は、丸め加工又は面取り加工あるいは球状にしておくことが好ましい。
【００３５】
（第３実施形態）
図９に、第３実施形態に係るシャワーヘッドの第２磁石ホルダー９の斜視図を示す。第２磁石ホルダー９は円柱形状であって、軸中心に軸方向に貫通した通水路９１が形成されている。そして、通水路９１を挟んで対向する位置に磁石Ｍを保持するための４つの保持穴９２が形成されている。保持穴９２は軸方向が深さ方向であって有底である。保持穴９２の深さは保持する磁石Ｍの数によって適宜定められる。また、第２磁石ホルダー９の下端面には、通水路９１を挟んで対向する位置に凸部９３が形成されている。この凸部９３は蓋部５を第２磁石ホルダーの下端に取り付ける際に用いられる。このような構成の第２磁石ホルダー９は、例えば塩化ビニル樹脂などの一体成型により作製される。
【００３６】
一つの保持穴９２に複数個の磁石Ｍが軸方向に積み重なって挿入される際、通水路９１に面する側の磁極が軸方向に異なるように挿入されるのが好ましい。このとき、通水路９１を挟んで対向する保持穴９２に挿入される磁石は、対向する磁石Ｍの磁極と異なる磁極となるように挿入するのが好ましい。すなわち、通水路９１を挟んで対向する磁石Ｍによって形成される磁力線が、通水路９１の流路方向に対して垂直に形成されるようにするのが好ましい。
【００３７】
図３と同様にして、第２磁石ホルダー９の保持穴９２への磁石の挿入が完了すると、第２磁石ホルダー９の上端部に蓋部４が装着される。蓋部４の周壁部４２の内径は第２磁石ホルダー９の外径よりも若干小さく設定されており、蓋部４の周壁部４２を第２磁石ホルダー９の上端に嵌め入れることによって蓋部４は第２磁石ホルダー９に取り付けられる。このとき、蓋部４の凸部４５が第２磁石ホルダー９の保持穴９２の開口部に嵌って蓋部４の位置決めが成されると同時に、保持穴９２が凸部４５によって封鎖される。また、第２磁石ホルダー９の通水路９１は、蓋部４の通水口４４に接続し本発明における通水路を形成する。
【００３８】
また、第２磁石ホルダー９の下端部には蓋部５が装着される。蓋部４と同様に、蓋部５の周壁部５２の内径は第２磁石ホルダー９の外径よりも若干小さく設定されており、蓋部５の周壁部５２を第２磁石ホルダー９の下端に嵌め入れることによって蓋部５は第２磁石ホルダー９の下端に取り付けられる。このとき、蓋部５の凹部５５に第２磁石ホルダー９の凸部９３に嵌って蓋部５の位置決めが成される。また、第２磁石ホルダー９の通水路９１は、蓋部５の通水口５４に接続し本発明における通水路を形成する。そして、このようにして組み立てられた磁気処理カートリッジＣは、図２に示したように、把持部１内に装着される。
【実施例】
【００３９】
（実施例）
容積１６１０ｃｍ３をステンレス製のボウルを２個用意し（Ａセット）、２個のボウルの外周端間が５ｍｍ隔たるように配置した。そして、一方のボウルに、図１に示したシャワーヘッドに水道の蛇口から給水を行い、シャワーヘッドから噴出した磁気活性水１６１０ｇを溜めた。
次に、長さ１５０ｍｍ，幅１０ｍｍの透湿性防水シート（株式会社ＫＡＷＡＧＵＣＨＩ社製）の長手方向中央部が前記２個のボウルの間の中央となるよう配置した。透湿性防水シートの長手方向一方側は水で満たされたボウルの水面に浮いた状態となり、他方側は空のボウルの壁面に添った状態となる。そして、２０分間放置した後、空のボウルに移動した水の量を測定した。同じ実験を繰り返し５回行った。なお、透湿性防水シートは実験前に実験する水で予め濡らして使用した。表１に測定結果を示す。
【００４０】
（比較例）
容積１６１０ｃｍ３をステンレス製のボウルを２個用意し（Ｂセット）、一方のボウルに水道の蛇口から水道水１６１０ｇを溜めた以外は実施例と同様にして、空のボウルに移動した水の量を測定した。表１に測定結果を合わせて示す。なお、実施例と比較例の実験はテーブルにＡセットとＢセットの４つボウルを並べた状態、すなわち同一環境下で行った。
【００４１】
（再現実験）
実施例及び比較例で使用した２組のボウル（Ａセット，Ｂセット）を入れ替えて同様に実験を行った。すなわち、Ｂセットのボウルの一方にシャワーヘッドから噴出した磁気活性水で満たし、Ａセットボウルの一方に水道水で満たして、空のボウルへの水の移動量をそれぞれ測定した。同じ実験を繰り返し４回行った。表２に測定結果を示す。
【００４２】
その後、再び２組のボウル（Ａセット，Ｂセット）を入れ替えて同様の実験を行った。すなわち、Ａセットのボウルの一方にシャワーヘッドから噴出した磁気活性水で満たし、Ｂセットボウルの一方に水道水で満たして、空のボウルへの水の移動量をそれぞれ測定した。同じ実験を繰り返し４回行った。表３に測定結果を示す。
【００４３】
【表１】
2019033947.tif 000003
【００４４】
【表２】
2019033947.tif 000004
【００４５】
【表３】
2019033947.tif 000005
【００４６】
表１〜表３から明らかなように、いずれの実験においても本発明のシャワーヘッドから噴出させた磁気活性水の方が水道水よりも透湿性防水シートを通って移動する水の量が多かった。
【産業上の利用可能性】
【００４７】
本発明のシャワーヘッドは、磁気処理カートリッジがシャワーヘッド本体から取り外し可能であるため清掃や保守点検が容易であり有用である。
【符号の説明】
【００４８】
１  把持部
２  ヘッド部
３  ハウジング
４  蓋部
５  蓋部
６  第１磁石ホルダー
７  ブラシ部
８  保持板
９  第２磁石ホルダー
Ｂ  ブラシ部材
Ｃ  磁気処理カートリッジ
Ｍ  磁石
７２  ブリッスル
７３  散水孔
９１  通水路
９２  保持穴
９３  凸部
ＳＨ  シャワーヘッド
【図１】
2019033947.tif 000006
【図２】
2019033947.tif 000007
【図３】
2019033947.tif 000008
【図４】
2019033947.tif 000009
【図５】
2019033947.tif 000010
【図６】
2019033947.tif 000011
【図７】
2019033947.tif 000012
【図８】
2019033947.tif 000013
【図９】
2019033947.tif 000014